(57)【要約】      （修正有）【課題】シリンダ錠のキー孔を開く操作を、よりスムーズにするシリンダ錠用保護装置を提供する。【解決手段】シャッター板３６を開き位置側に付勢する付勢部材６２と、シャッター板３６を閉じ位置に規制する規制位置および開き位置への回動を許容する規制解除位置間での移動を可能としてケーシング３５に配設される規制部材５８と、マグネットキーの挿入に応じてマグネットキーと共に移動すべくケーシング３５にスライド可能に収容され、マグネット錠１９の解錠位置までのマグネットキーの挿入操作を可能とするだけでなく解錠位置からマグネットキーをさらに押し込むことによる押し込み位置までの移動を可能としたスライド部材８４とを備え、マグネットキーをスライド部材８４とともに押し込み位置まで押し込むことにより規制部材５８を規制解除位置に移動させるようにした。【選択図】図４
2018071342.tif 000002
【特許請求の範囲】
【請求項１】
シリンダ錠（１５）にメカニカルキー（２４）を挿入するためのメカニカルキー挿入孔（３７）を有するケーシング（３５）と、前記メカニカルキー挿入孔（３７）を閉じる閉じ位置ならびに前記メカニカルキー挿入孔（３７）を開放する開き位置間で回動することを可能として前記ケーシング（３５）に軸支されるシャッター板（３６）と、マグネットキー（２２）により解錠されるようにして前記ケーシング（３５）に配設されるマグネット錠（１９）とを備え、前記マグネット錠（１９）の解錠時に前記シャッター板（３６）が前記開き位置まで回動することを可能としたシリンダ錠用保護装置において、
前記シャッター板（３６）を前記開き位置側に付勢する付勢部材（６２）と、前記シャッター板（３６）を前記閉じ位置に規制する規制位置ならびに前記閉じ位置から前記開き位置への前記シャッター板（３６）の回動を許容する規制解除位置間での移動を可能として前記ケーシング（３５）に配設される規制部材（５８）と、前記マグネットキー（２２）の挿入に応じて該マグネットキー（２２）と共に移動するようにして前記ケーシング（３５）にスライド可能に収容されるとともに前記マグネット錠（１９）を解錠する解錠位置までの前記マグネットキー（２２）の挿入操作を可能とするだけでなく前記解錠位置から前記マグネットキー（２２）をさらに押し込むことによる押し込み位置までの移動を可能としたスライド部材（８４）とを備え、前記マグネットキー（２２）を前記スライド部材（８４）とともに前記押し込み位置まで押し込むことにより前記規制部材（５８）を前記規制解除位置に移動させるようにしたことを特徴とするシリンダ錠用保護装置。
【発明の詳細な説明】
【技術分野】
【０００１】
本発明は、シリンダ錠用保護装置の閉じ状態を鎖錠時に保持するマグネット錠を有するとともにマグネットキーによる前記マグネット錠の解錠に応じてシリンダ錠用保護装置の開き作動を許容するシリンダ錠用保護装置に関する。
【背景技術】
【０００２】
マグネットキーによるマグネット錠の解錠によって、シリンダ錠のキー孔を開閉するシャッター板を開くことを可能としたものが、特許文献１で知られている。
【先行技術文献】
【特許文献】
【０００３】
【特許文献１】特許３９１４０４３号公報
【発明の概要】
【発明が解決しようとする課題】
【０００４】
上記特許文献１で開示されたものでは、マグネットキーをマグネット錠に嵌合して解錠した状態で、マグネットキーを回動操作することによってシャッター板を閉じ位置から開き位置に移動させるようにしており、シャッター板を開く際に、マグネットキーをマグネット錠に嵌合する操作と、それに引き続く回動操作とが必要であって操作が煩雑であり、よりスムーズな操作であることが望まれる。
【０００５】
本発明は、かかる事情に鑑みてなされたものであり、シリンダ錠用保護装置が開き作動を可能とするための操作をよりスムーズとしたシリンダ錠用保護装置を提供することを目的とする。
【課題を解決するための手段】
【０００６】
上記目的を達成するために、本発明は、シリンダ錠にメカニカルキーを挿入するためのメカニカルキー挿入孔を有するケーシングと、前記メカニカルキー挿入孔を閉じる閉じ位置ならびに前記メカニカルキー挿入孔を開放する開き位置間で回動することを可能として前記ケーシングに軸支されるシャッター板と、マグネットキーにより解錠されるようにして前記ケーシングに配設されるマグネット錠とを備え、前記マグネット錠の解錠時に前記シャッター板が前記開き位置まで回動することを可能としたシリンダ錠用保護装置において、前記シャッター板を前記開き位置側に付勢する付勢部材と、前記シャッター板）を前記閉じ位置に規制する規制位置ならびに前記閉じ位置から前記開き位置への前記シャッター板の回動を許容する規制解除位置間での移動を可能として前記ケーシングに配設される規制部材と、前記マグネットキーの挿入に応じて該マグネットキーと共に移動するようにして前記ケーシングにスライド可能に収容されるとともに前記マグネット錠を解錠する解錠位置までの前記マグネットキーの挿入操作を可能とするだけでなく前記解錠位置から前記マグネットキーをさらに押し込むことによる押し込み位置までの移動を可能としたスライド部材とを備え、前記マグネットキーを前記スライド部材とともに前記押し込み位置まで押し込むことにより前記規制部材を前記規制解除位置に移動させるようにしたことを特徴とする。
【０００７】
なお実施の形態の第１ねじりばね６２は本発明の付勢部材に対応し、実施の形態の第２規制部材５８は本発明の規制部材に対応する。
【発明の効果】
【０００８】
本発明の上記特徴によれば、スライド部材に挿入したマグネットキーを一方向に押すだけで、シャッター板を開き位置まで回動させるシリンダ錠用保護装置の開き作動が可能となるので操作がよりスムーズとなる。
【図面の簡単な説明】
【０００９】
【図１】自動二輪車の側面図である。
【図２】シリンダ錠、シリンダ錠用保護装置、保護装置用開き作動規制装置およびキーユニットの斜視図である。
【図３】マグネットキーの斜視図である。
【図４】シリンダ錠用保護装置および保護装置用開き作動規制装置の分解斜視図である。
【図５】シャッター板が開き位置にある状態でケースを省略して示すシリンダ錠用保護装置および保護装置用開き作動規制装置の正面図である。
【図６】図５からシャッター板を取り外した状態での正面図である。
【図７】図６から内側カバー板を取り外した状態での正面図である。
【図８】ケースの斜視図である。
【図９】プロテクタの斜視図である。
【図１０】ケーシングの斜視図である。
【図１１】ケースとは反対側から見たシャッター板の斜視図である。
【図１２】シャッター板が閉じ位置にある状態でケースを省略して示すシリンダ錠用保護装置および保護装置用開き作動規制装置の正面図である。
【図１３】シャッター板が閉じ位置にある状態でケーシングを省略して示すシリンダ錠用保護装置および保護装置用開き作動規制装置の斜視図である。
【図１４】図１３の１４矢視図である。
【図１５】マグネット錠、規制解除部材および第２規制部材の連結構成を示すための斜視図である。
【図１６】ケーシングのボディを図２の１６矢視方向から見た側面図である。
【図１７】マグネットキー従動部材の正面図である
【図１８】図１７の１８矢視図である。
【図１９】図２の１９−１９線断面図である。
【図２０】従動駒およびスライド部材の分解斜視図である。
【図２１】ロック位置でメカニカルキーを挿入した状態での図１２に対応した正面図である。
【図２２】メカニカルキーをオフ位置に回動操作した状態での図１２に対応した正面図である。
【図２３】ケーシングを省略した状態での図１４に対応した図である。
【図２４】メカニカルキーをオン位置に回動操作した状態での図１２に対応した正面図である。
【図２５】ロック位置でメカニカルキーを抜き取った状態での図１２に対応した正面図である。
【発明を実施するための形態】
【００１０】
以下、本発明の実施の形態について、添付の図１〜図２５を参照しながら説明すると、先ず図１において、たとえばスクータ型の自動二輪車の前部には、イグニッションスイッチ１４のスイッチング態様の切換ならびにステアリングのロックおよびアンロック状態の切換を可能としたシリンダ錠１５が配設される。このシリンダ錠１５のシリンダボディ１６は前下がりに傾斜して配置されており、該シリンダボディ１６の上部に開閉装置としてのシリンダ錠用保護装置１７が取付けられ、そのシリンダ錠用保護装置１７の閉じ状態を鎖錠時に保持するマグネット錠１９を有する開閉装置用開き作動規制装置としての保護装置用開き作動規制装置１８が、前記シリンダ錠用保護装置１７に下方から隣接するようにして連設される。
【００１１】
図２において、前記シリンダ錠用保護装置１７は、前記シリンダ錠１５が有するキー孔２０をシャッター板３６で閉じて保護することを可能としたものであり、前記シリンダ錠用保護装置１７の閉じ状態すなわち前記シャッター板３６の閉じ位置は、前記マグネット錠１９の鎖錠時に前記保護装置用開き作動規制装置１８で保持される。前記マグネット錠１９は、マグネットキー２２によって解錠可能であり、そのマグネット錠１９の解錠によって前記保護装置用開き作動規制装置１８は、前記シリンダ錠用保護装置１７の開き作動すなわち前記シャッター板３６の開き位置への移動を可能とする。
【００１２】
前記マグネットキー２２は、携帯可能なケース２３に、該ケース２３から突出した突出位置（図２の実線で示す位置）と、前記ケース２３に格納される格納位置（図２の鎖線で示す位置）との間で作動することを可能として取付けられており、前記ケース２３には、前記シリンダ錠１５を解錠するためのメカニカルキー２４が、突出位置にある前記マグネットキー２２とは反対方向に突出するようにして固定される。
【００１３】
図３において、前記マグネットキー２２は、合成樹脂から成るマグネットキー本体２５に、複数個たとえば３個のマグネット２６が配設されて成るものであり、前記マグネットキー本体２５は、前記ケース２３に形成される格納凹部２８（図２参照）に格納することを可能として前記ケース２３の長手方向に長く形成され、このマグネットキー本体２５の一端部が前記ケース２３に回動可能に支持される。
【００１４】
前記マグネットキー本体２５の他端部の一面には、仮想円に沿って配置される４個の収容凹部（図示せず）が形成されており、それらの収容凹部のうち選択された３個の収容凹部に、Ｎ極およびＳ極のいずれか一方を前記収容凹部の外端側に臨ませるようにして前記マグネット２６が収容された状態で、全ての収容凹部を覆うようにしてリング状に形成される蓋部材２７を前記マグネットキー本体２５の他端部一面に貼着することで、前記マグネットキー２２が構成される。
【００１５】
図４〜図７を併せて参照して、前記シリンダ錠用保護装置１７は、前記シリンダボディ１６の上端部を覆うケーシング３５と、該ケーシング３５内に収容されるシャッター板３６とを備える。
【００１６】
前記シリンダ錠１５に前記メカニカルキー２４を挿入するためのメカニカルキー挿入孔３７（図２参照）を有する前記ケーシング３５は、前記シリンダボディ１６に結合されるボディ３８と、前記シャッター板３６および前記ボディ３８を前記シリンダボディ１６とは反対側から覆うようにして前記ボディ３８に締結されるケース３９と、該ケース３９で覆われるようにして前記ボディ３８に締結される内側カバー板４０とから成る。
【００１７】
ところで前記シリンダ錠１５に挿入された前記メカニカルキー２４は、ステアリングをロック状態とするロック（ＬＯＣＫ）位置からオフ（ＯＦＦ）位置を経てオン（ＯＮ）位置に回動することが可能であり、オン位置で前記イグニッションスイッチ１４を導通して図示しないエンジンに点火することができる。また前記メカニカルキー２４は、ロック位置およびオフ位置のいずれの状態でもシリンダ錠１５に対する挿脱操作が可能である。
【００１８】
前記ケース３９の表面には、前記メカニカルキー挿入孔３７に対応した開口部４２を有するカバーシート４１が貼着されており、このカバーシート４１には、ＬＯＣＫ、ＯＦＦおよびＯＮの各位置が前記開口部４２の周囲に配置されるようにして表示される。
【００１９】
前記ケーシング３５には、前記メカニカルキー挿入孔３７を閉じる閉じ位置ならびに前記メカニカルキー挿入孔３７を開放する開き位置（図５で示す位置）間で作動することを可能として前記シャッター板３６が収容されており、このシャッター板３６は前記ケース３９および前記内側カバー板４０間に配置される。
【００２０】
図８において、前記ケース３９は、樹脂製のケース主部２９と、前記シャッター板３６を覆うようにして平板状に形成される平板部３０ａを少なくとも有して前記ケース主部２９にインサート結合される金属製のプロテクタ３０から成る。このケース３９は、相互に異なる方向に臨む複数の側壁部を有するようにしつつ前記ボディ３８の前記シリンダ錠１５とは反対側の一部を嵌合させるようにして該ボディ３８を覆うように形成されており、この実施の形態で、前記ケース３９は、相互に異なる方向に臨む４個の側壁部３９ａ，３９ｂ，３９ｃ，３９ｄを有して略長方形の椀状に形成される。
【００２１】
しかも前記ケース３９が備える４個の側壁部３９ａ〜３９ｄのうち少なくとも２個の側壁部が前記ボディ３８に弾発係合され、前記ボディ３８に弾発係合される側壁部とは異なる他の側壁部が前記ボディ３８に締結されるものであり、この実施の形態では、２個の側壁部３９ａ，３９ｂが前記ボディ３８に弾発係合され、他の１個の側壁部３９ｃが前記ボディ３８に締結される。なお残余の側壁部３９ｄも前記ボディ３８に弾発係合されるようにしてもよい。
【００２２】
図９を併せて参照して、前記プロテクタ３０は、前記平板部３０ａに加えて、前記ケース３９が有する前記側壁部３９ａの一部を構成しつつ前記ケース主部２９に形成される切欠き部２９ａから外方に臨むように配置されて前記平板部３０ａに連なる係止片３０ｂと、前記ケース３９が有する前記側壁部３９ｂの一部を構成しつつ前記ケース主部２９に形成される切欠き部２９ｂから外方に臨むように配置されて前記平板部３０ａに連なる係止片３０ｃと、前記ケース３９が有する前記側壁部３９ｃの一部を構成しつつ前記ケース主部２９に形成される切欠き部２９ｃから外方に臨むように配置されて前記平板部３０ａに連なる取付け片３０ｄとを一体に有するように形成され、前記係止片３０ｂ，３０ｃには四角形の係止孔３１，３２が設けられ、前記取付け片３０ｄには円形の挿通孔３３が設けられる。
【００２３】
図１０を併せて参照して、前記ボディ３８には前記係止孔３１，３２に個別に弾発係合する係合突起３８ａ，３８ｂが一体に設けられており、前記側壁部３９ａ，３９ｂの一部を構成する前記係止片３０ｂ，３０ｃにボディ３８が弾発係合される。また前記ボディ３８には、前記挿通孔３３に対応した取付け孔３４（図４参照）が設けられ、前記挿通孔３３に挿通されるねじ部材４３が前記取付け孔３４にねじ込まれ、前記側壁部３９ｃの一部を構成する前記取付け片３０ｄが前記ボディ３８に締結される。すなわち前記ケース３９の一部を構成する金属製のプロテクタ３０が前記ボディ３８に取付けられる。
【００２４】
前記内側カバー板４０は、前記シャッター板３６を摺接させるようにして前記ボディ３８に固定されるものであり、複数箇所で前記ボディ３８に位置決め、係合された前記内側カバー板４０は、１つのねじ部材４４で前記ボディ３８に締結される。
【００２５】
前記メカニカルキー挿入孔３７は、前記内側カバー板４０に設けられる円形の第１孔４５と、第１孔４５に対応して前記ケース３９に設けられる円形の第２孔４６とで構成され、前記シャッター板３６は、前記第１孔４５および前記第２孔４６間に介在することで前記メカニカルキー挿入孔３７を閉じることになる。
【００２６】
図１１を併せて参照して、前記シャッター板３６は、扇状に形成されるとともにその扇の要部に対応した位置に円形の支持孔４７を有する回動基部３６ａと、前記支持孔４７の半径方向に沿って前記回動基部３６ａから延出される連結腕部３６ｂと、前記メカニカルキー挿入孔３７を閉じ得る形状を有して前記連結腕部３６ｂに連設される蓋部３６ｃと、この蓋部３６ｃが前記メカニカルキー挿入孔３７を開放した状態にあるときに前記メカニカルキー挿入孔３７を前記回動基部３６ａとの間に挟むようにして前記蓋部３６ｃから延出される規制腕部３６ｄとを一体に有するように形成される。
【００２７】
このシャッター板３６は、前記メカニカルキー挿入孔３７を閉じる閉じ位置と、前記メカニカルキー挿入孔３７を開放する開き位置（図５で示す位置）との間で作動することを可能として、前記支持孔４７に挿通される支軸４８で回動可能に支持される。
【００２８】
前記回動基部３６ａの前記内側カバー板４０側に臨む面には、前記支持孔４７および前記支軸４８の中心軸線を中心として円弧状に延びる係止突部４９が一体に突設され、前記回動基部３６ａの前記ケース３９側に臨む面には操作軸５０が一体に突設され、この操作軸５０を挿通させる挿通孔５１，５２が、前記支持孔４７および前記支軸４８の中心軸線を中心とした円弧状に形成されるようにして前記ケース３９および前記カバーシート４１に設けられる。
【００２９】
また前記規制腕部３６ｄの先端部の前記内側カバー板４０側に臨む面には、係止凹部５３と、その係止凹部５３から前記規制腕部３６ｄの先端側に向かうにつれて前記内側カバー板４０から遠ざかるように傾斜した傾斜面５４とが形成される。
【００３０】
前記シャッター板３６の前記閉じ位置は閉じ位置規制手段５６で規制されるものであり、この閉じ位置規制手段５６は、前記シャッター板３６を前記閉じ位置に規制する規制状態と、前記シャッター板３６の前記開き位置への作動を許容する規制解除状態とを切替え可能であり、第１および第２規制部材５７，５８を備える。
【００３１】
図１２〜図１４を併せて参照して、第１規制部材５７は、前記ボディ３８および前記内側カバー板４０間に配置される平板状の回動板部５７ａと、前記内側カバー板４０に設けられた第１貫通孔５９を貫通して前記シャッター板３６の前記支持孔４７に挿通されるようにして前記回動板部５７ａに立設される前記支軸４８と、前記シャッター板３６における前記係止突部４９の周方向一端部４９ａに当接、係合することを可能として前記回動板部５７ａに立設される第１係合突部５７ｂと、前記支軸４８と同軸にして前記回動板部５７ａに直角に連設されて前記ボディ３８内に回動自在に挿入される円筒部５７ｃと、該円筒部５７ｃの軸方向中間部から半径方向外方に突出する第１受圧突部５７ｄとを有するように形成され、前記内側カバー板４０には、前記支軸４８の中心軸線まわりに第１係合突部５７ｂが回動することを可能として第１係合突部５７ｂを挿通させる長孔６０が、前記支軸４８の中心軸線を中心として円弧状に延びるようにして設けられる。
【００３２】
また第２規制部材５８は、前記ボディ３８および前記内側カバー板４０間に配置される平板状の連結板部５８ａと、前記係止凹部５３に係合することを可能としつつ前記内側カバー板４０に設けられた第２貫通孔６１を貫通するようにして前記連結板部５８ａの一端部に突設される第２係合突部５８ｂと、前記支軸４８と平行に延びるようにして前記連結板部５８ａの他端部から前記ボディ３８内に挿入される棒状部５８ｃと、該棒状部５８ｃから半径方向外方に突出する第２受圧突部５８ｄと有するように形成される。
【００３３】
前記シャッター板３６は、第１ねじりばね６２で前記開き位置側に付勢されるものであり、この第１ねじりばね６２は、前記シャッター板３６の回動基部３６ａおよび前記内側カバー板４０間で前記支軸４８を囲繞するように配置され、この第１ねじりばね６２の一端部６２ａは前記内側カバー板４０に係合され、第１ねじりばね６２の他端部６２ｂは前記シャッター板３６における係止突部４９の周方向他端部４９ｂに当接、係合される。
【００３４】
また前記シャッター板３６には、第１ねじりばね６２よりも大きな付勢力を発揮するコイル状の第２ねじりばね６３で前記閉じ位置側に向けての付勢力を及ぼすことが可能である。この第２ねじりばね６３は、その一部を前記円筒部５７ｃ内に挿入するようにして該円筒部５７ｃおよび前記ボディ３８間に設けられており、この第２ねじりばね６３の一端部６３ａは前記ボディ３８に係合され、第２ねじりばね６３の他端部は、軸方向に延びて前記円筒部５７ｃの内面に形成される溝（図示せず）に係合される。
【００３５】
第２ねじりばね６３は、前記第１規制部材５７の第１係合突部５７ｂが前記シャッター板３６の係止突部４９の周方向一端部４９ａに当接した状態で前記第１規制部材５７とともに前記シャッター板３６を前記閉じ位置側に付勢するばね力を発揮するとともに、前記第１規制部材５７の回動板部５７ａを前記内側カバー板４０に近接させる方向に向けて前記第１規制部材５７を付勢する軸方向ばね力も発揮する。
【００３６】
前記シャッター板３６を前記閉じ位置側に付勢する第２ねじりばね６３のばね力が、前記シャッター板３６を前記開き位置側に付勢する第１ねじりばね６２のばね力よりも大きいので、第１規制部材５７の第１係合突部５７ｂが前記シャッター板３６の係止突部４９の周方向一端４９ａに当接した状態では、前記閉じ位置に在る前記シャッター板３６の前記開き位置側への回動は規制され、前記シャッター板３６は前記閉じ位置で規制されることになる。
【００３７】
また前記第２規制部材５８の前記棒状部５８ｃおよび前記ボディ３８間には、第１のコイルばね６４が縮設されており、この第１のコイルばね６４が発揮するばね力により、第２規制部材５８は前記第２係合突部５８ｂを前記内側カバー板４０から突出させる側に付勢されており、前記第２係合突部５８ｂが前記シャッター板３６の前記係止凹部５３に係合することによっても前記シャッター板３６が前記閉じ位置で規制されることになる。
【００３８】
前記閉じ位置規制手段５６による前記シャッター板３６の前記閉じ位置での規制状態は、前記保護装置用開き作動規制装置１８によって解除し得るものであり、この保護装置用開き作動規制装置１８は、前記マグネットキー２２で解錠される前記マグネット錠１９を含み、該マグネット錠１９の解錠状態での前記マグネットキー２２の押し込み操作に応じて作動して前記閉じ位置規制手段５６の規制状態を解除するように構成される。
【００３９】
前記保護装置用開き作動規制装置１８は、前記ケーシング３５を前記シリンダ錠用保護装置１７と共通とするものであり、このケーシング３５の前記ボディ３８には、前記内側カバー板４０からオフセットした部分で前記ケース３９側に開口する摺動凹部６７が、前記支軸４８の中心軸線と平行に延びるとともに略長方形の横断面形状を有するようにして設けられる。また前記ケース３９の前記摺動凹部６７に対応した部分には、前記マグネットキー２２の断面形状に対応した形状のマグネットキー挿入孔６９が設けられる。しかも図４で示すように、前記ケース３９の裏面には、前記マグネットキー挿入孔６９を閉じる蓋部材７０がピン７１を介して回動可能に支承されており、この蓋部材７０はばね７２によって閉じ側に付勢される。
【００４０】
図１５を併せて参照して、前記マグネット錠１９は、前記摺動凹部６７に臨むようにして前記ケーシング３５に配設されるものであり、前記ボディ３８で回動可能に支承されるロータ７４を備える。このロータ７４は、円盤部７４ａと、該円盤部７４ａの一端から半径方向外方に張り出す鍔部７４ｂと、その鍔部７４ｂの周方向１箇所から外側方に延びる連結腕部７４ｃと、該連結腕部７４ｃの外端から前記円盤部７４ａと同一側に突出する第３係合突部７４ｄとを一体に有し、非磁性材料によって形成される。
【００４１】
図１６で示すように、前記ケーシング３５の前記ボディ３８には、前記ロータ７４の前記鍔部７４ｂおよび前記連結腕部７４ｃを回動可能に嵌合させる嵌合凹部７５と、該嵌合凹部７５に外端を開口するとともに前記摺動凹部６７の側面に内端を開口させて前記ロータ７４の前記円盤部７４ａを回動可能に嵌合する円形の嵌合孔７６と、前記第３係合突部７４ｄが挿入されるようにして前記嵌合凹部７５に外端を開口するとともに前記摺動凹部６７の側面に内端を開口させた長孔７７とが設けられており、前記長孔７７は、前記嵌合凹部７５および前記嵌合孔７６内での前記ロータ７４の回動を許容するようにして該ロータ７４の回動軸線を中心とした円弧状に形成される。
【００４２】
前記嵌合凹部７５は、図４で示すように、前記ロータ７４の前記円盤部７４ａ内に嵌合して前記ロータ７４の回動を支持する支持突部７８ａを一体に有するとともに１つのねじ部材７９で前記ボディ３８に締結される蓋部材７８で閉じられており、前記支持突部７８ａの基部および前記ロータ７４間にＯリング８０が介装される。
【００４３】
前記支持突部７８ａの先端部には、マグネットから成る複数個たとえば３個のピン８１が前記ロータ７４における前記円盤部７４ａの一端に設けられる４つの係止凹部８２のうちの３つに係合する位置ならびにその係合を解除する位置間での移動を可能として摺動可能に嵌合されており、各ピン８１は、個別に対応した第２のコイルばね８３によって前記ロータ７４に係合する側に弾発付勢される。
【００４４】
３つの前記ピン８１は、前記ロータ７４における前記円盤部７４ａの他端に前記マグネットキー２２が対向配置されたときに、該マグネットキー２２が有する３つのマグネット２６に対応する位置に配置されるようにして前記係止凹部８２に嵌合される。しかも前記マグネットキー２２における前記マグネット２６の前記マグネット錠１９側の極と同一極が係止凹部８２の内端側に配置されるようにして、前記ピン８１が配置されており、前記ロータ７４における前記円盤部７４ａの他端に対向する位置に正規のマグネットキー２２を配置することで第２のコイルばね８３の弾発付勢力に抗して前記ピン８１を前記ロータ７４との係合を解除する側に移動させることができ、それによって前記ロータ７４の回動が許容されることになる。
【００４５】
前記ケーシング３５における前記ボディ３８の前記摺動凹部６７には、前記ケーシング３５への前記マグネットキー２２の挿入に応じて該マグネットキー２２とともに移動するスライド部材８４がスライド可能に収容される。
【００４６】
図１７〜図１９を併せて参照して、前記スライド部材８４は、マグネットキー挿入凹部８５を有するとともに前記摺動凹部６７にスライド可能に収容されるようにして矩形の箱状に形成されるものであり、このスライド部材８４の前記マグネットキー挿入凹部８５には、前記蓋部材７０をあけて前記ケース３９のマグネットキー挿入孔６９から前記マグネットキー２２が挿入される。
【００４７】
前記マグネットキー挿入凹部８５に挿入される前記マグネットキー２２の先端部は、前記マグネットキー挿入凹部８５の閉塞端壁に当接されるものであり、前記マグネットキー２２を押し込むことで前記スライド部材８４は前記摺動凹部６７内をスライド移動する。しかも前記ボディ３８には、前記摺動凹部６７の前記ケース３９と反対側の端部に配置される格子状の受け部６８が一体に設けられており、前記スライド部材８４および前記受け部６８間には第３のコイルばね８６が縮設され、第３のコイルばね８６が発揮するばね力で前記スライド部材８４は前記ケース３９に近接する側にばね付勢されている。
【００４８】
前記スライド部材８４の前記マグネット錠１９側に臨む側壁には、前記マグネットキー挿入凹部８５に挿入された前記マグネットキー２２を前記マグネット錠１９側に臨ませる窓８７が前記摺動凹部６７の延出方向に沿って長く形成されており、前記スライド部材８４は、前記マグネットキー２７の挿入に応じて該マグネットキー２２とともに移動することで前記マグネット錠１９におけるロータ７４の閉塞端外面に前記マグネットキー２２を対向させることによってマグネット錠１９を解錠する解錠位置までの前記マグネットキー２２の挿入操作を可能とするだけでなく、前記解錠位置から前記マグネットキー２７をさらに押し込むことによる押し込み位置までの移動が可能である。
【００４９】
前記スライド部材８４には、前記マグネット錠１９の鎖錠状態では前記ロータ７４で移動が規制されるようにしつつ該ロータ７４の第３係合突部７４ｄに係合される規制解除部材８８が保持されており、前記スライド部材８４の前記押し込み位置側への移動に応じて前記ロータ７４を回動駆動する側に前記規制解除部材８８を押圧する弾発力を発揮する第４のコイルばね８９が前記スライド部材８４および前記規制解除部材８８間に設けられる。
【００５０】
前記規制解除部材８８は、前記第３係合腕部７４ｄを係合させる係止溝９０を有して前記ロータ７４の前記連結腕部７４ｃ側に開放した略Ｃ字状に形成される。また前記スライド部材８４には、前記第２規制部材５８側ならびに前記ロータ７４の前記第３係合腕部７４ｄ側を開口させた収容孔９１が、前記摺動凹部６７の延出方向両端を閉じるようにして設けられており、前記規制解除部材８８は該収容孔９１内に収容され、この収容孔９１内に収容される前記第４のコイルばね８９が、前記スライド部材８４および前記規制解除部材８８間に縮設される。
【００５１】
前記マグネットキー２２および前記スライド部材８４を前記解錠位置からさらに押し込むと、スライド部材８４の移動による押圧力が第４のコイルばね８９および前記規制解除部材８８を介して前記ロータ７４の連結腕部７４ｃに伝達され、マグネット錠１９が解錠状態にあることで回動可能な状態にある前記ロータ７４が、前記規制解除部材８８の移動に応じて回動する。
【００５２】
また前記スライド部材８４には、前記第１規制部材５７の前記円筒部５７ｃに設けられた第１受圧突部５７ｄに前記回動基部３６ａ側から係合し得る第１押圧突部８４ａが突設されており、前記マグネットキー２２で前記スライド部材８４を押し込むのに応じて、第１受圧突部５７ｄに第１押圧突部８４ａを係合させた前記スライド部材８４が、前記解錠位置からさらに押し込まれると、第２ねじりばね６３の軸方向弾発力に抗して前記第１規制部材５７が押し下げられることで、第１規制部材５７の第１係合突部５７ｂが、前記シャッター板３６の係止突部４９との係合を解除する位置まで移動することになり、シャッター板３６を閉じ位置で規制する第１規制部材５７の規制が解除される。この際、第１規制部材５７の前記支軸４８が前記シャッター板３６の前記支持孔４７から離脱することはなく、シャッター板３６の前記支軸４８による回動支持は維持される。
【００５３】
また前記規制解除部材８８には、第２規制部材５８の前記棒状部５８ｃに設けられた第２受圧突部５８ｄに前記連結板部５８ａ側から係合し得る第２押圧突部８８ａが、前記係止溝９０と反対側で前記規制解除部材８８から突出するようにして設けられており、前記マグネットキー２２で前記スライド部材８４を押し込むのに応じて、第２受圧突部５８ｄに第２押圧突部８８ａを係合させた前記規制解除部材８８が、前記解錠位置からさらに押し込まれると、第２規制部材５８の第２係合突部５８ｂが、前記シャッター板３６の係止凹部５３との係合を解除する位置まで移動することになり、シャッター板３６を閉じ位置で規制する第２規制部材５８の規制も解除される。なおマグネット錠１９が解錠されないままで前記スライド部材８４を異種キーや不正部材で無理やり押し込むと、スライド部材８４の移動に応じて第１規制部材５７による前記シャッター板３６の閉じ位置での規制は解除されるが、マグネット錠１９の前記ロータ７４が回動することはなく、前記規制解除部材８８の移動も阻止されているので、前記スライド部材８４は第４のコイルばね８９を圧縮しつつスライドすることになり、第２規制部材５８による前記シャッター板３６の閉じ位置での規制が解除されることはなく、シャッター板３６は閉じ位置で規制されたままである。
【００５４】
すなわち前記保護装置用開き作動規制装置１８は、前記マグネット錠１９と、前記スライド部材８４と、前記規制解除部材８８と、前記第３および第４のコイルばね８６，８９とで構成される。
【００５５】
前記シャッター板３６を前記閉じ位置に規制した前記閉じ位置規制手段５６の規制状態が、上述の保護装置用開き作動規制装置１８で解除された状態で前記シャッター板３６には第２ねじりばね６３のばね力は作用しておらず、前記シャッター板３６は、第１ねじりばね６２のばね力で開き位置側に自動的に回動する。
【００５６】
また前記スライド部材８４には、前記マグネットキー挿入凹部８５の下部を外部に通じさせる第１排出孔９２が設けられており、第１排出孔９２の前記マグネットキー挿入凹部８５への開口端には、前記マグネットキー挿入凹部８５に侵入した塵埃や雨水等を円滑に排出するための傾斜面９２ａが形成される。
【００５７】
一方、前記ケーシング３５における前記ボディ３８には、前記摺動凹部６７に侵入した塵埃や水を抜くために該摺動凹部６７の下部を外部に通じさせる第２排出孔９３が設けられており、この第２排出孔９３は、前記格子状の受け部６８によって形成される。しかも第２排出孔９３は、前記スライド部材８４が前記押し込み位置に達したときに前記第１排出孔９２の少なくとも一部に通じるようにして前記ケーシング３５の前記ボディ３８に設けられる。
【００５８】
前記シャッター板３６が、第１ねじりばね６２のばね力で開き位置側に自動的に回動した状態で、前記シャッター板３６の係止突部４９は第１規制部材５７の第１係合突部５７ｂに、前記支軸４８の軸線に沿う方向で近接、対向する位置となり、前記スライド部材８４からマグネットキー２２を抜き取ることで、前記スライド部材８４が第３のコイルばね８６のばね力で元の位置に戻ることによって第１押圧突部８４ａから第１受圧突部５７ｄに作用していた押圧力が解除されても、シャッター板３６の係止突部４９に前記第１係合突部５７ｂが軸方向で当接することにより、第１規制部材５７は押し下げられたままである。また前記第２規制部材５８は、第２押圧突部８８ａから第２受圧突部５８ｄに作用していた押圧力の解除によって元の位置まで第１のコイルばね６４のばね力で復帰する。
【００５９】
第２ねじりばね６３から前記シャッター板３６への付勢力伝達は、閉じ位置側付勢力制御手段９４によって制御されるものであり、この閉じ位置側付勢力制御手段９４は、少なくとも前記シャッター板３６の前記閉じ位置から前記開き位置への作動時には第１ねじりばね６２の機能を停止するとともに、前記シャッター板３６が開き位置にある状態での前記メカニカルキー２４の所定回動位置での前記メカニカルキー挿入孔３７からの引き抜き操作に応じて第２ねじりばね６３の付勢力を前記シャッター板３６に作用させる。
【００６０】
図７に注目して、前記閉じ位置側付勢力制御手段９４は、前記ボディ３８および前記内側カバー板４０間に回動可能に収容される円板状のカムプレート９５と、該カムプレート９５の周方向で第１および第２規制部材５７，５８間に配置されるようにして前記カムプレート９５の外側方に配置されるレバー部材９６と、前記カムプレート９５の半径方向に摺動することを可能としてカムプレート９５に嵌合されるプッシュプレート９７と、前記カムプレート９５がロック位置に対応した回動位置にあるときに前記プッシュプレート９７に当接するようにした従動駒９８と、該従動駒９８に連結されるスライド部材９９とを備える。
【００６１】
前記カムプレート９５は、前記シリンダ錠１５のインナシリンダ（図示せず）に相対回動不能に連結されるものであり、円盤部９５ａと、該円盤部９５ａの前記ボディ３８側の端部から半径方向外方に張り出す鍔部９５ｂとを一体に有するように形成される。しかも前記第１規制部材５７の前記回動板部５７ａは、前記鍔部９５ｂおよび前記内側カバー板４０間に配置される。
【００６２】
前記レバー部材９６は、その一端部９６ａを前記カムプレート９５における鍔部９５ｂの外周に当接させることを可能とするとともに他端部９６ｂを前記第１規制部材５７における回動板部５７ａに当接させるようにして前記支軸４８と平行なピン１００で前記ボディ３８に回動可能に支承され、前記ピン１００は前記レバー部材９６に一体に形成される。前記鍔部９５ｂの外周には、前記カムプレート９５がロック位置に対応する回動位置にあるときに前記レバー部材９６の一端部を収容する凹部１０１が形成され、前記カムプレート９５が前記ロック位置から前記オフ位置または前記オン位置に回動すると、前記レバー部材９６の一端部９６ａを前記凹部１０１から離脱させて前記鍔部９５ｂの外周に摺接させるように回動することになる。また前記レバー部材９６の他端部９６ｂは、第２ねじりばね６３の付勢力による前記第１規制部材５７の回動方向に対向するようにして前記第１規制部材５７の前記回動板部５７ａに当接する。
【００６３】
前記カムプレート９５の中央部には、メカニカルキー挿入孔３７に対応した矩形の透孔１０２が横断面形状を矩形として形成されるとともに、内端を前記透孔１０２に開口させるとともに外端を前記円盤部９５ａの外周に開口させた嵌合溝１０３がカムプレート９５の半径方向に延びるようにして設けられており、前記プッシュプレート９７は前記嵌合溝１０３に摺動可能に嵌合され、一対のばね１０４が、前記透孔１０２を閉鎖する側すなわち前記カムプレート９５の半径方向内方に前記プッシュプレート９７を付勢するようにして前記カムプレート９５および前記プッシュプレート９７間に設けられる。
【００６４】
前記プッシュプレート９７の内端部は前記透孔１０２を塞ぎ得るように形成され、前記プッシュプレート９７の外端部は前記カムプレート９５における前記円盤部９５ａの外周と同一曲率の円弧状に形成される。このプッシュプレート９７の内端部が前記透孔１０２を塞ぐ位置にあるときにはプッシュプレート９７の外端部は前記円盤部９５ａの外周よりも内方位置に在り、前記プッシュプレート９７の内端部が前記透孔１０２を開放する位置にあるときには該プッシュプレート９７の外端部は前記円盤部９５ａの外周に面一に連なる位置にある。
【００６５】
図２０を併せて参照して、前記従動駒９８は、前記カムプレート９５に関して前記第２規制部材５８と反対側に配置されるものであり、一端部に連結ピン９８ａを有して前記カムプレート９５の外周に沿って延びるとともに前記カムプレート９５の前記鍔部９５ｂに一部を重ねることを可能とした従動駒主部９８ｂと、その従動駒主部９８ｂの他端部からカムプレート９５の前記円盤部９５ａ側に延びる嵌合部９８ｃと、前記鍔部９５ｂの外方に配置されるようにして前記従動駒主部９８ｂの他端部に連結される短円柱部９８ｄとを一体に有し、前記従動駒主部９８ｂの前記嵌合部９８ｃとは反対側の側面にばね係止凹部１０５が形成される。
【００６６】
前記嵌合部９８ｃの先端部は前記カムプレート９５における前記円盤部９５ａの外周に当接可能であり、前記カムプレート９５がロック位置にあるときに、前記嵌合部９８ｃの先端部は前記プッシュプレート９７の外端部に当接する。
【００６７】
しかも前記ボディ３８に設けられた横断面円形の支持突部１０６を囲繞するとともに一端部１０７ａが前記ボディ３８に係合される第３ねじりばね１０７の他端部１０７ｂが、その一部を前記ばね係止凹部１０５に収容することを可能として前記従動駒９８の他端部の短円柱部９８ｄに当接、係合されており、この第３ねじりばね１０７が発揮するばね力は、前記従動駒９８の前記嵌合部９８ｃを前記カムプレート９５の円盤部９５ａの外周に押しつける方向ならびに前記従動駒９８を前記第１規制部材５７側に押圧する方向で前記従動駒９８に作用する。前記プッシュプレート９７の移動ならびに前記カムプレート９５の回動に伴う前記従動駒９８の移動をガイドするために、前記ボディ３８には、前記従動駒９８における前記短円柱部９８ｄの先端部を嵌合させるガイド凹部１０９が形成される。
【００６８】
前記スライド部材９９は、前記従動駒９８および前記第１規制部材５７間に配置され、前記第１規制部材５７に対する近接、離反方向でスライドすることを可能として前記ボディ３８に支持されており、前記従動駒９８の前記連結ピン９８ａを回動可能に嵌合する有底の嵌合孔１０８が前記スライド部材９９に設けられる。
【００６９】
このスライド部材９９の前記第１規制部材５７側の端部には、前記第１規制部材５７の前記回動板部５７ａに、前記第１規制部材５７に対する前記第２ねじりばね６３による回動付勢方向と同一方向から当接し得る当接部９９ａが、前記カムプレート９５の前記鍔部９５ｂに軸方向で重なることを可能として一体に設けられる。
【００７０】
図７で示すように、前記シャッター板３６が開き位置にあって前記カムプレート９５がロック位置にあるときには、前記レバー部材９６の一端部９６ａは前記カムプレート９５における前記鍔部９５ｂの外周の前記凹部１０１に収容されており、前記従動駒９８は、前記透孔１０２を閉じた位置にある前記プッシュプレート９７の外端部に前記嵌合部９８ｃを当接させた状態にあり、第１規制部材５７の第１係合突部５７ｂは前記シャッター板３６の前記係止突部４９に前記支軸４８の軸線に沿う方向で当接した状態にある。この状態で、図２１で示すように、前記メカニカルキー挿入孔３７および前記透孔１０２にメカニカルキー２４を挿入すると、前記プッシュプレート９７と、該プッシュプレート９７の外端部に嵌合部９８ｃを当接させた前記従動駒９８とが、前記プッシュプレート９７を付勢する前記ばね１０４のばね力に抗して前記カムプレート９５の半径方向外方に押し出され、それによって前記スライド部材９９が第１規制部材５７に近接する側にスライド作動する。
【００７１】
前記メカニカルキー２４をロック位置からオフ位置に回動操作すると、図２２で示すように、前記レバー部材９６が、その一端部９６ａを前記カムプレート９５の前記鍔部９５ｂの前記凹部１０１から離脱させて前記鍔部９５ｂの外周に摺接させる位置に回動し、前記レバー部材９６の他端部９６ｂが、前記第１規制部材５７の前記回動板部５７ａを図２２の反時計方向に回動させることになる。これによって第１規制部材５７が、その第１係合突部５７ｂを前記シャッター板３６における前記係止突部４９の周方向一端部４９ａに当接、係合させ得る位置であって前記支軸４８の周方向で前記スライド部材８４の第１押圧突部８４ａから第１受圧突部５７ｄをずらせた位置に回動することになり、前記ロック位置において第１係合突部５７ｂが前記シャッター板３６の前記係止突部４９に当接していた状態が解除されるのに応じて、図２３で示すように、第１規制部材５７が第２ねじりばね６３の軸方向弾発力で前記回動板部５７ａを前記シャッター板３６に近接させる方向に移動し、第１係合突部５７ｂが第１係止突部４９の周方向一端部４９ａに前記支軸４８の周方向で近接、対向し、さらに第２ねじりばね６３のばね力で、第１係止突部４９の周方向一端部４９ａに当接、係合することになる。
【００７２】
この際、第１規制部材５７の回動が許容されていれば、第１規制部材５７から前記シャッター板３６に作用する第２ねじりばね６３のばね力で前記シャッター板３６は閉じ位置側に回動付勢されるが、第１規制部材５７の回動は前記レバー部材９６および前記スライド部材９９によって阻止される。すなわちオフ位置で前記レバー部材９６によって前記第１規制部材５７の前記回動板部５７ａが図２２の反時計方向に回動する際に、該回動板部５７ａは、その一部が前記スライド部材９９の先端の前記当接部９９ａと、前記カムプレート９５における鍔部９５ｂとの間を通過するように回動するものであり、第１規制部材５７が第２ねじりばね６３の軸方向弾発力で前記回動板部５７ａを前記シャッター板３６に近接させる方向に移動することで、前記当接部９９ａが、図２２で示すように、第２ねじりばね６３のばね力による第１規制部材５７の回動付勢方向に対向するようにして前記回動板部５７ａに当接し、第１規制部材５７の回動は阻止されている。また前記レバー部材９６の他端部９６ｂは前記第１規制部材５７の前記回動板部５７ａに当接したままであり、このレバー部材９６の一端部９６ａは前記カムプレート９５における前記鍔部９５ｂの外周に当接しているので、このレバー部材９６によっても第１規制部材５７の回動は阻止される。
【００７３】
前記メカニカルキー２４をオン位置まで回動すると、前記カムプレート９５は図２４で示す位置まで回動するが、前記レバー部材９６、前記従動駒９８、前記スライド部材９９は、図２２および図２３で示したオフ位置の状態と変化することはなく、第１規制部材５７も回動することはない。
【００７４】
前記メカニカルキー２４をロック位置まで戻してメカニカルキー２４を引き抜くと、図２５で示すように、前記カムプレート９５のプッシュプレート９７が前記透孔１０２を閉じる位置に戻るので、前記従動駒９８を介して前記スライド部材９９が第１規制部材５７との係合を解除する位置まで戻り、また前記カムプレート９５における前記鍔部９５ｂの外周の凹部１０１が前記レバー部材９６の一端部９６ａに対応する位置となるので、第１規制部材５７は、前記レバー部材９６をその一端部９６ａが前記凹部１０１に収容されるように回動駆動することができ、それによって前記シャッター板３６が、第２ねじりばね６３のばね力から第１ねじりばね６２のばね力を減算したばね力で前記閉じ位置に自動的に回動することになり、このシャッター板３６への閉じ位置への回動によって該シャッター板３６の前記規制腕部３６ｄの先端部の傾斜面５４は、第２規制部材５８の第２係合突部５８ｂに当接して第２規制部材５８を第１のコイルばね６４の付勢力に抗して押し下げ、前記規制腕部３６ｄの先端部の前記係止凹部５３に第２規制部材５８の第２係合突部５８ｂが係合することになる。
【００７５】
すなわち閉じ位置側付勢力制御手段９４は、前記シャッター板３６の前記閉じ位置から前記開き位置への作動時には第１ねじりばね６２の機能を停止し、前記シャッター板３６が開き位置にある状態での前記メカニカルキー２４のロック位置での前記メカニカルキー挿入孔３７からの引き抜き操作に応じて第１ねじりばね６２の付勢力を前記シャッター板３６に作用させることになる。
【００７６】
ところでメカニカルキー２４をオフ位置でメカニカルキー挿入孔３７から引き抜くこともあり、この場合、前記閉じ位置側付勢力制御手段９４は第２ねじりばね６３の付勢力を前記シャッター板３６に作用させることはないので、オフ位置で前記シャッター板３６が閉じ位置側に自動的に回動することはない。そこで前記操作軸５０の前記ケーシング３５からの突出部を回動操作することで、前記シャッター板３６を閉じ位置に回動することは可能であるが、この際、第１規制部材５７は、前記スライド部材９９および前記レバー部材９６で回動が阻止された状態にあるので、前記シャッター板３６は第１規制部材５７を置き去りにしたままで回動することになり、前記シャッター板３６の閉じ位置は、その係止凹部５３に前記第２規制部材５８の第２係合突部５８ｂが係合することで規制される。またシャッター板３６を開く際には、前記スライド部材８４に前記マグネットキー２７を挿入して押し下げればよく、第２規制部材５８が押し下げられることで前記係止凹部５３から第２係合突部５８ｂが離脱して第２規制部材５８による前記シャッター板３６の閉じ位置での規制が解除され、前記シャッター板３６には第２ねじりばね６３のばね力は作用していないので、前記シャッター板３６は第１ねじりばね６２のばね力で開き位置に自動的に回動することになる。
【００７７】
次にこの実施の形態の作用について説明すると、シリンダ錠１５にメカニカルキー２４を挿入するためのメカニカルキー挿入孔３７を有するケーシング３５と、前記メカニカルキー挿入孔３７を閉じる閉じ位置ならびに前記メカニカルキー挿入孔３７を開放する開き位置間で回動することを可能として前記ケーシング３５に軸支されるシャッター板３６と、マグネットキー２２により解錠されるようにして前記ケーシング３５に配設されるマグネット錠１９とを備え、前記マグネット錠１９の解錠時に前記シャッター板３６が前記開き位置まで回動することを可能とした保護装置用開き作動規制装置１８が、前記シャッター板３６を前記開き位置側に付勢する付勢部材６２と、前記シャッター板３６を前記閉じ位置に規制する規制位置ならびに前記閉じ位置から前記開き位置への前記シャッター板３６の回動を許容する規制解除位置間での移動を可能として前記ケーシング３５に配設される規制部材５８と、前記マグネットキー２２の挿入に応じて該マグネットキー２２と共に移動するようにして前記ケーシング３５にスライド可能に収容されるとともに前記マグネット錠１９を解錠する解錠位置までの前記マグネットキー２２の挿入操作を可能とするだけでなく前記解錠位置から前記マグネットキー２２をさらに押し込むことによる押し込み位置までの移動を可能としたスライド部材８４）を備え、前記マグネットキー２２を前記スライド部材８４とともに前記押し込み位置まで押し込むことにより前記規制部材５８を前記規制解除位置に移動させるようにしたので、スライド部材８４に挿入したマグネットキー２２を一方向に押すだけで、シリンダ錠用保護装置１７の開き作動が可能となるので操作がよりスムーズとなる。
【００７８】
また前記マグネットキー挿入凹部８５の下部を外部に通じさせる第１排出孔９２が前記スライド部材８４に設けられ、前記摺動凹部６７の下部を外部に通じさせる第２排出孔９３がケーシング３５に設けられるので、ケーシング３５の摺動凹部６７ならびにスライド部材８４のマグネットキー挿入凹部８５に外部からの塵埃や雨水等が侵入したとしても、それらの塵埃や雨水等を外部に排出することができ、ケーシング３５およびスライド部材８４に外部からの塵埃や雨水等が侵入して滞留することによる悪影響を排除することができる。
【００７９】
しかも第２排出孔９３が、前記スライド部材８４の前記押し込み位置への到達時に前記第１排出孔９２の少なくとも一部に通じるようにして前記ケーシング３５に設けられるので、塵埃や雨水等を確実に排出することができる。
【００８０】
またシリンダ錠用保護装置１７が備えるケーシング３５が、前記シリンダ錠１５のシリンダボディ１６に連設されるボディ３８と、シャッター板３６を覆うように形成されて前記ボディ３８に固定されるケース３９とを備え、前記ケース３９が、樹脂製のケース主部２９と、前記シャッター板３６を覆うようにして平板状に形成される平板部３０ａを少なくとも有して前記ケース主部２９にインサート結合される金属製のプロテクタ３０とから成るので、ケース主部２９を樹脂製とすることでケース３９の軽量化を図ることができ、またケース主部２９とともにケース３９を構成する金属製のプロテクタ３０がケース主部２９にインサート結合されることで防盗性も確保することができる。
【００８１】
また前記プロテクタ３０が前記ボディ３８に固定されるので、ケース３９のボディ３８への固定を強固なものとすることができる。
【００８２】
さらに前記ケース３９は、前記ボディ３８に弾発係合される少なくとも２個の側壁部３９ａ，３９ｂと、それらの側壁部３９ａ，３９ｂとは別に前記ボディ３８に締結される１つの側壁部３９ｃとを含むとともに相互に異なる方向に臨んで配置される複数の側壁部３９ａ，３９ｂ，３９ｃ，３９ｄを有するように形成されるので、ケース３９のボディ３８への組み付けを容易とし、組み付け性を高めることができる。
【００８３】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００８４】
１７・・・開閉装置であるシリンダ錠用保護装置
１８・・・開閉装置用開き作動規制装置としての保護装置用開き作動規制装置
１９・・・マグネット錠
２２・・・マグネットキー
３５・・・ケーシング
６７・・・摺動凹部
８４・・・スライド部材
８５・・・マグネットキー挿入凹部
８８・・・規制解除部材
９２・・・第１排出孔
９３・・・第２排出孔
【図１】
2018071342.tif 000003
【図２】
2018071342.tif 000004
【図３】
2018071342.tif 000005
【図４】
2018071342.tif 000006
【図５】
2018071342.tif 000007
【図６】
2018071342.tif 000008
【図７】
2018071342.tif 000009
【図８】
2018071342.tif 000010
【図９】
2018071342.tif 000011
【図１０】
2018071342.tif 000012
【図１１】
2018071342.tif 000013
【図１２】
2018071342.tif 000014
【図１３】
2018071342.tif 000015
【図１４】
2018071342.tif 000016
【図１５】
2018071342.tif 000017
【図１６】
2018071342.tif 000018
【図１７】
2018071342.tif 000019
【図１８】
2018071342.tif 000020
【図１９】
2018071342.tif 000021
【図２０】
2018071342.tif 000022
【図２１】
2018071342.tif 000023
【図２２】
2018071342.tif 000024
【図２３】
2018071342.tif 000025
【図２４】
2018071342.tif 000026
【図２５】
2018071342.tif 000027